(57)【要約】【課題】機械室の小型化を図って、陳列室の容積や開口の拡大を図ることができる低温ショーケースを提供する。【解決手段】低温ショーケース１に、本体４下部に圧縮機２０や凝縮器２１、凝縮器用送風機２２などを設置する機械室１９を構成する。圧縮機２０、凝縮器２１及び凝縮器用送風機２２が取り付けられるユニットベース３０を設ける。少なくとも圧縮機２０をこのユニットベース３０の上面に設置する。凝縮器２１をユニットベース３０の下面に取り付ける。ユニットベース３０にファングリル孔を形成し、凝縮器用送風機２２のファンをこのファングリル孔内に配設する。【選択図】      図２
2004150658.tif 000002
【特許請求の範囲】
【請求項１】
本体下部に圧縮機や凝縮器、凝縮器用送風機などを設置する機械室を構成して成る低温ショーケースにおいて、
前記圧縮機、凝縮器及び凝縮器用送風機が取り付けられるユニットベースを備え、少なくとも前記圧縮機を当該ユニットベースの上面に設置し、前記凝縮器をユニットベースの下面に取り付けたことを特徴とする低温ショーケース。
【請求項２】
前記ユニットベースにはファングリル孔を形成し、前記凝縮器用送風機を当該ファングリル孔内に配設したことを特徴とする請求項１の低温ショーケース。
【請求項３】
前記凝縮器用送風機は、前記機械室下方から外気を吸引し、前記凝縮器から前記圧縮機に通風することを特徴とする請求項１又は請求項２の低温ショーケース。
【請求項４】
前記凝縮器用送風機によって形成される通風経路中に蒸発皿を配置したことを特徴とする請求項３の低温ショーケース。
【請求項５】
前記本体内には前面に開口する陳列室が構成され、前記機械室は当該本体下部の後側に構成されていることを特徴とする請求項１、請求項２、請求項３又は請求項４の低温ショーケース。
【発明の詳細な説明】
【０００１】
【発明の属する技術分野】
本発明は、本体下部に圧縮機や凝縮器、凝縮器用送風機などを設置する機械室を構成して成る低温ショーケースに関するものである。
【０００２】
【従来の技術】
従来のこの種低温ショーケースを図１１、図１２に示している。この低温ショーケース１００は、前面に開口する断面略コ字状の断熱壁１０５と、その両側に取り付けられた側板１１５によって本体１０４が形成されている。この断熱壁１０５の内側に沿って仕切板１０６が配設されており、仕切板１０６と断熱壁１０５間にはダクト１０９が構成されている。仕切板１０６の下端には前方に延在する下部仕切板としてのデックパン１１０が設けられ、仕切板１０６及びデックパン１１０の内側に前面に開口する陳列室１０８が形成されている（特許文献１参照）。
【０００３】
この低温ショーケース１００の陳列室１０８内には陳列棚１０３が上下方向に複数段設けられており、デックパン１１０の下方にはダクト１０９に連通してそのダクト１０９の一部を構成する下部ダクト１０９Ａが構成されている。そして、この下部ダクト１０９Ａにはデックパン１１０の下側に位置して冷気循環用の送風機１１４が設置され、背部のダクト１０９内下部には冷却装置の冷媒回路の一部を構成する冷却器１３３が縦設されている。
【０００４】
陳列室１０８の開口の上縁及び下縁にはダクト１０９に連通する冷気吐出口１１６と冷気吸込口１１７がそれぞれ形成されている。そして、送風機１１４が運転されると、開口下縁の冷気吸込口１１７から陳列室１０８内の空気が下部ダクト１０９Ａ内に吸入され、吸入された空気はダクト１０９内を通り冷却器１３３に送風される。そして、冷却器１３３と熱交換して冷却された冷気はダクト１０９を通り、陳列室１０８の開口上縁の冷気吐出口１１６から下縁の冷気吸込口１１７に向けて吹き出され、開口にエアーカーテンを形成しながら陳列室１０８を冷却していた。
【０００５】
一方、断熱壁１０５の下方には機械室１１９が構成されている（図１３）。この場合、機械室１１９内に設けられた平板状のユニットベース１３０上に冷却器１３３と共に冷却装置の冷媒回路の一部を構成する圧縮機１２０と凝縮器１２１及び凝縮器用送風機１２２、１２２などが設置されると共に、アキュムレータ１２３及び低温ショーケース１００を制御するための電装箱１３６なども設置されていた。また、圧縮機１２０と凝縮器用送風機１２２間には冷却器１３３から滴下したドレン水を蒸発させるため、複数の蒸発板１１３Ａを有する蒸発皿１１３が設置されていた。（図１４、図１５）。
【０００６】
そして、凝縮器用送風機１２２、１２２が運転されると機械室１１９前側に設けられた外気吸込口１２６から外気が機械室１１９内に吸引され、凝縮器１２１に通風される。凝縮器１２１を経てそれを空冷した空気は、蒸発皿１１３を経た後、凝縮器用送風機１２２によって圧縮機１２０に通風され、その後、機械室１１９外に排出されていた。
【０００７】
【特許文献１】
特公平３−４８２７号公報（Ｆ２５Ｃ１／１４）（第３頁乃至４頁参照。）。
【０００８】
【発明が解決しようとする課題】
しかしながら、従来の低温ショーケースでは、断熱壁の下方の全域に機械室を構成し、この機械室の中に冷媒回路の一部を構成する圧縮機と凝縮器及び凝縮器用送風機などを設置していたため、陳列室がその分押し上げられ、下側の機械室によってどうしても陳列室の前面開口が狭くなってしまう。また、陳列室の容積も狭められるため、容積を確保するために低温ショーケース全体の高さ寸法が高くなってしまう問題があった。
【０００９】
本発明は、係る従来技術の課題を解決するために成されたものであり、機械室の小型化を図って、陳列室の容積や開口の拡大を図ることができる低温ショーケースを提供することを目的とする。
【００１０】
【課題を解決するための手段】
即ち、本発明の低温ショーケースは、本体下部に圧縮機や凝縮器、凝縮器用送風機などを設置する機械室を構成して成るものであって、圧縮機、凝縮器及び凝縮器用送風機が取り付けられるユニットベースを備え、少なくとも圧縮機を当該ユニットベースの上面に設置し、凝縮器をユニットベースの下面に取り付けているので、圧縮機と凝縮器を集約して機械室の縮小を図ることが可能となる。
【００１１】
これにより、例えば請求項５の如く機械室を本体下部の後側に集約して小型化し、陳列室の開口を機械室前方の低い位置まで下げて広げることが可能となる。従って、低温ショーケースの全体寸法を拡大すること無く、陳列室の容積拡大と開口幅の拡大を図ることができるようになるものである。
【００１２】
また、請求項２の発明の低温ショーケースは、上記に加えて、ユニットベースにはファングリル孔を形成し、凝縮器用送風機を当該ファングリル孔内に配設したので、通風性能を低下させることなく機械室内のスペースを更に有効利用することが可能となる。これによって、機械室の更なる縮小を図り、低温ショーケースの陳列室容積と開口拡大を促進することができるようになるものである。
【００１３】
また、請求項３の発明の低温ショーケースは、上記各発明に加えて、凝縮器用送風機は、機械室下方から外気を吸引し、凝縮器から圧縮機に通風するようにしたので、本体背面を例えば店舗の壁に接して設置した場合でも、機械室内への外気の吸い込みを支障無く行うことができるようになるものである。
【００１４】
また、請求項４の発明の低温ショーケースは、上記に加えて、凝縮器用送風機によって形成される通風経路中に蒸発皿を配置したので、蒸発皿に溜まったドレン水も通風により支障無く蒸発させることが可能となるものである。
【００１５】
【発明の実施の形態】
次に、図面に基づき本発明の実施形態を詳述する。図１は本発明の一実施例の低温ショーケース１の正面図、図２は低温ショーケース１の縦断側面図、図３は低温ショーケース１の本体４下部の拡大縦断側面図、図４は低温ショーケース１の機械室１９の斜視図、図５は同平面図をそれぞれ示している。
【００１６】
低温ショーケース１は、例えばコンビニエンスストアなどに設置されて例えば飲料や日配品などの商品を陳列販売するもので、前面が開口すると共に、底面の後側が階段状に高くなる折曲壁２５とされた断熱壁５と、その両側に取り付けられた側板１５によって本体４が構成されている。断熱壁５の内側には所定の間隔を存して仕切板６が配設されており、この仕切板６と断熱壁５間にはダクト９が構成されている。
【００１７】
断熱壁５の底面となる折曲壁２５は、前面開口の奥方から略垂直に立ち上がる縦壁２５Ａと、縦壁２５Ａ上端から後方に略水平に延在する上壁２５Ｂと、縦壁２５Ａ下端から前面開口に至る下壁２５Ｃとからなる。縦壁２５Ａは陳列室８内の前後方向の略中間に位置し、後述する機械室１９の前側に位置すると共に、上壁２５Ｂは機械室１９上側に位置する。また、下壁２５Ｃは本体４の底部に位置して設けられている。これによって、陳列室８の開口は本体４の下端まで拡張されている。尚、仕切板６は折曲壁２５に沿って形成され、この仕切板６と折曲壁２５間にも前述したダクト９が構成されている。
【００１８】
また、断熱壁５の後側には所定の間隔を存して後壁板７が設けられており、断熱壁５背面と後壁板７との間には排気通路１０が形成されている。この排気通路１０は低温ショーケース１の本体４上方に開口すると共に、後述する機械室１９内後上部に連通し、機械室１９内の空気を本体４上方に排出する煙突の役割を果たす。尚、３５はキャスターで本体４の下部四隅に設けられている。
【００１９】
また、仕切板６の下端には下壁２５Ｃの上側に間隔を存して前方に延在する下部仕切板としてのデックパン１１が設けられている。これら仕切板６及びデックパン１１の内側に陳列室８が構成されると共に、陳列室８内には上下方向に所定の間隔で複数段の商品陳列棚３・・・が架設されている。
【００２０】
陳列室８の開口の上縁（仕切板６の上部前縁）及び下縁（デックパン１１の前縁）にはダクト９に連通する冷気吐出口１６と冷気吸込口１７がそれぞれ形成されている。また、陳列室８の背部に位置するダクト９内には冷却装置の冷媒回路の一部を構成する冷却器１３が縦設されており、その上方には冷気循環用の送風機１４が設置されている。
【００２１】
そして、この送風機１４が運転されると、冷気吸込口１７から陳列室８内の空気がダクト９内に吸入され、ダクト９内に吸入された空気は冷却器１３と熱交換して冷却される。冷却器１３にて冷却された冷気はダクト９内を通り、送風機１４によって開口上縁の冷気吐出口１６から吹き出される。
【００２２】
冷気吐出口１６から吹き出された冷気は、陳列室８の前面開口にエアーカーテンを形成しながら陳列室８を冷却する。このように冷気吐出口１６から吹き出された冷気及び陳列室８を冷却した冷気は、陳列室８の開口下縁の冷気吸込口１７からダクト９内に帰還し、再び冷却器１３と熱交換して冷却された後、送風機１４によって開口上縁の冷気吐出口１６から吹き出される循環を繰り返す。
【００２３】
一方、前記機械室１９は本体４下部の後側に位置して構成されている。この場合、機械室１９は断熱壁５の折曲壁２５の縦壁２５Ａ後側に位置し、該機械室１９内には前記冷却器１３と共に冷却装置の冷媒回路の一部を構成する圧縮機２０と凝縮器２１や、ファン２２Ａ及びファンモータ２２Ｂから構成される凝縮器用送風機２２、２２などが設けられている。凝縮器２１は、横長矩形状に形成され、機械室１９の幅方向に延在して機械室１９の下部に水平に設けられている。
【００２４】
３０はこの機械室１９のユニットベースであり、鋼板を屈曲して構成されている。このユニットベース３０の後部３０Ａは下方に開放する略コ字状とされ、この後部３０Ａ内に下側から凝縮器２１が収納されるかたちで、凝縮器２１はユニット３０の下面に取り付けられている。また、この後部３０Ａの前面（３０ＡＡで示す）は縦壁２５Ａに当接しており、ユニットベース３０の前部３０Ｂは下壁２５Ｃの下側に間隔を存して前方に延在している。そして、ユニットベース３０の後部３０Ａ上面に圧縮機２０が設置されている。
【００２５】
更に、このユニットベース３０の後部３０Ａにはファングリル孔３２が形成（実施例では２箇所）されており、このファングリル孔３２、３２はユニットベース３０の上面と下面とを貫通して凝縮機用送風機２２を収納可能な大きさとされている。そして、これらのファングリル孔３２、３２内に凝縮器用送風機２２、２２がそれぞれ設置されると共に、圧縮機２０はファングリル孔３２、３２間に配置される（図４）。
【００２６】
この場合、凝縮器用送風機２２、２２のファン２２Ａ、２２Ａがファングリル孔３２、３２内に配置され、ファンモータ２２Ｂ、２２Ｂはユニットベース３０の上側に位置している。即ち、圧縮機２０をコ字状に形成したユニットベース３０の後部３０Ａ上面に設置し、凝縮器２１をユニットベース３０の後部３０Ａ下面に取り付け、凝縮器用送風機２２、２２をユニットベース３０の後部３０Ａに設けたファングリル孔３２、３２内に取り付けている。これにより、圧縮機２０、凝縮器２１、凝縮器用送風機２２、２２などは集約され、その残体寸法が本体４下部後側の機械室１９内に入る大きさに小型化される。尚、２３はアキュムレータ、２４はドライヤである。
【００２７】
一方、ユニットベース３０の前部３０Ｂと下壁２５Ｃ間は本体４前方に開口する通気口２６に連通すると共に、前部３０Ｂの上面の下壁２５Ｃとの間には蒸発皿３３が載置され、支持されている。
【００２８】
蒸発皿３３内には複数のフィンからなる蒸発板３３Ａが設けられており、前部３０Ｂの下面にはドレンタンク３４が設けられている。尚、蒸発皿３３内には冷却器１３から滴下するドレン水（除霜水や露）が貯留され、貯留されたドレン水は蒸発板３３Ａに吸収された後、蒸発される。また、ドレンタンク３４内には蒸発皿３３から溢れたドレン水が貯溜される。
【００２９】
前記ユニットベース３０の前部３０Ｂの蒸発皿３３後側の位置（前面ＡＡの前側）には複数の吸気孔３１Ａが形成されており、この吸気孔３１Ａは前部３０Ｂの上面と下面とを貫通して切り欠かれると共に、所定の大きさを呈している。これらの吸気孔３１Ａはユニットベース３０の前部３０Ｂと下壁２５Ｃ間及びユニットベース３０下面の凝縮器２１下方とを連通している。
【００３０】
そして、前記凝縮器用送風機２２、２２が運転されると、本体４とユニットベース３０間の通気口２６から本体４前方の外気が吸引され、蒸発皿３３上を通過した後、吸気孔３１Ａからユニットベース３０下側に回り込む。これによって、蒸発皿３３内のドレン水の蒸発を促進させる。その後、外気は凝縮器２１内を通過しながら上昇し、凝縮器用送風機２２、２２に吸い込まれる。尚、凝縮器２１下方の左右からも外気は吸引され、同様に凝縮器２１内を通過しながら凝縮器用送風機２２、２２に吸い込まれる。これによって、凝縮器２１を空冷する。
【００３１】
凝縮器用送風機２２、２２に吸い込まれた外気は圧縮機２０の周囲を通過しながら機械室１９内を上昇して排気通路１０に入る。これにより、圧縮機２０を空冷する。その後、排気通路１０内を上昇して低温ショーケース１上方に排出されることになる。
【００３２】
このように、圧縮機２０をユニットベース３０の上面に設置し、凝縮器２１をユニットベース３０の下面に取り付け、凝縮器用送風機２２をユニットベース３０に設けたファングリル孔３２内に取り付けているので、圧縮機２０、凝縮器２１、凝縮器用送風機２２などを集約し、それらを設置する機械室１９の小型化を図ることが可能となる。
【００３３】
また、機械室１９を折曲壁２５の後方下側（本体４下部の後側）に設けているので、陳列室８の開口を機械室１９前方の低い位置まで下げて広げることが可能となる。これにより、陳列室８の容積を拡大し、開口幅も拡張することができるようになる。
【００３４】
この場合、低温ショーケース１の高さ寸法も拡大されないので、低温ショーケース１の本体４上面に商品陳列空間４０を設けてもよい。また、低温ショーケース１の高さを他の通常の非冷ショーケースの高さと略同等の高さに構成することが可能となる。
【００３５】
また、ユニットベース３０に形成したファングリル孔３２内に凝縮器用送風機２２のファン２２Ａを配設しているので、通風性能を低下させることなく機械室１９内のスペースを更に有効利用することが可能となる。また、凝縮器用送風機２２は、機械室１９前方や左右の下方から外気を吸引し、凝縮器２１を介して圧縮機２０に通風しているので、本体４背面を例えば店舗の壁に当接させた場合などでも機械室１９内への外気吸い込みに影響がない。これにより、低温ショーケース１を店舗内の壁に密着させて設置することができ、限られたスペースの店舗内を有効に利用することができるようになる。
【００３６】
また、凝縮器用送風機２２、２２によって形成される通風経路中に蒸発皿３３を配置したので、蒸発皿３３に溜まったドレン水を円滑に蒸発させることが可能となる。これにより、蒸発皿３３のドレン水処理に支障が生じることもなく、好適にドレン水の処理を行うことができるようになる。
【００３７】
尚、図６乃至図８は本発明の低温ショーケース１の他の実施例を示している。各図において図１乃至図５と同一符号は同一若しくは同様の機能を奏するものとする。この場合は、ユニットベース３０には吸気孔３１Ａは形成されず、後部３０Ａの前面３０ＡＡは折曲壁２５の縦壁２５Ａから離間している。
【００３８】
係る構成で前記凝縮器用送風機２２、２２が運転されると、ユニットベース３０下方の左右並びにドレンタンク３４下方から外気が吸引され、凝縮器２１内を通過しながら凝縮器用送風機２２、２２に吸い込まれる。これによって、凝縮器２１は空冷される。凝縮器用送風機２２、２２に吸い込まれた外気の一部は圧縮機２０の周囲を通過しながら機械室１９内を上昇して排気通路１０に入る。これにより、圧縮機２０を空冷する。その後、排気通路１０内を上昇して低温ショーケース１上方に排出される。
【００３９】
凝縮器用送風機２２、２２に吸い込まれた外気の残りは、前面３０ＡＡと縦壁２５Ａ間の隙間を通り、前部３０Ｂ上に至り、蒸発皿３３上を通過した後、通気口２６から前方に排出される。これによって、蒸発皿３３には凝縮器２１や圧縮機２０を通過した後の暖気が流通され、蒸発皿３３内のドレン水の蒸発を促進させる。
【００４０】
係る構成によっても前述同様に圧縮機２０、凝縮器２１、凝縮器用送風機２２などを集約し、それらを設置する機械室１９の小型化を図ることが可能となる。また、凝縮器２１や圧縮機２０、蒸発皿３３の通風も支障無く行える。
【００４１】
また、図９、図１０は本発明の低温ショーケース１のもう一つの他の実施例を示している。各図において図１乃至図８と同一符号は同一若しくは同様の機能を奏するものとする。この場合は、ユニットベース３０には吸気孔３１Ａは形成されず、後部３０Ａの前面３０ＡＡは折曲壁２５の縦壁２５Ａに当接している。また、蒸発皿３３は機械室１９内の圧縮機２０上側に配置されている。
【００４２】
係る構成で前記凝縮器用送風機２２、２２が運転されると、ユニットベース３０下方の左右並びにドレンタンク３４下方から外気が吸引され、凝縮器２１内を通過しながら凝縮器用送風機２２、２２に吸い込まれる。これによって、凝縮器２１は空冷される。凝縮器用送風機２２、２２に吸い込まれた外気は圧縮機２０の周囲を通過しながら機械室１９内を上昇し、蒸発皿３３の周囲を通過して排気通路１０に入る。これにより、圧縮機２０を空冷する。
【００４３】
蒸発皿３３には凝縮器２１や圧縮機２０を通過した後の暖気が流通され、蒸発皿３３内のドレン水の蒸発を促進させる。その後、暖気（外気）は排気通路１０に入り、内部を上昇して低温ショーケース１上方に排出される。
【００４４】
係る構成によっても前述同様に圧縮機２０、凝縮器２１、凝縮器用送風機２２などを集約し、それらを設置する機械室１９の小型化を図ることが可能となる。また、凝縮器２１や圧縮機２０、蒸発皿３３の通風も支障無く行える。
【００４５】
【発明の効果】
以上詳述した如く本発明によれば、本体下部に圧縮機や凝縮器、凝縮器用送風機などを設置する機械室を構成して成る低温ショーケースにおいて、圧縮機、凝縮器及び凝縮器用送風機が取り付けられるユニットベースを備え、少なくとも圧縮機を当該ユニットベースの上面に設置し、凝縮器をユニットベースの下面に取り付けているので、圧縮機と凝縮器を集約して機械室の縮小を図ることが可能となる。
【００４６】
これにより、例えば請求項５の如く機械室を本体下部の後側に集約して小型化し、陳列室の開口を機械室前方の低い位置まで下げて広げることが可能となる。従って、低温ショーケースの全体寸法を拡大すること無く、陳列室の容積拡大と開口幅の拡大を図ることができるようになるものである。
【００４７】
また、請求項２の発明によれば、上記に加えて、ユニットベースにはファングリル孔を形成し、凝縮器用送風機を当該ファングリル孔内に配設したので、通風性能を低下させることなく機械室内のスペースを更に有効利用することが可能となる。これによって、機械室の更なる縮小を図り、低温ショーケースの陳列室容積と開口拡大を促進することができるようになるものである。
【００４８】
また、請求項３の発明によれば、上記各発明に加えて、凝縮器用送風機は、機械室下方から外気を吸引し、凝縮器から圧縮機に通風するようにしたので、本体背面を例えば店舗の壁に接して設置した場合でも、機械室内への外気の吸い込みを支障無く行うことができるようになるものである。
【００４９】
また、請求項４の発明によれば、上記に加えて、凝縮器用送風機によって形成される通風経路中に蒸発皿を配置したので、蒸発皿に溜まったドレン水も通風により支障無く蒸発させることが可能となるものである。
【図面の簡単な説明】
【図１】本発明の低温ショーケースの正面図である。
【図２】本発明の低温ショーケースの縦断側面図である。
【図３】同図２の低温ショーケースの本体下部の拡大縦断側面図である。
【図４】本発明の低温ショーケースの機械室の斜視図である。
【図５】同図４の低温ショーケースの機械室の平面図である。
【図６】本発明の他の実施例の低温ショーケースの本体下部の拡大縦断側面図である。
【図７】図６の低温ショーケースの機械室の斜視図である。
【図８】図６の低温ショーケースの機械室の平面図である。
【図９】本発明のもう一つの他の実施例の低温ショーケースの本体下部の拡大縦断側面図である。
【図１０】図９の低温ショーケースの機械室の斜視図である。
【図１１】従来の低温ショーケースの正面図である。
【図１２】図１１の低温ショーケースの縦断側面図である。
【図１３】図１１の低温ショーケースの本体下部の拡大図である。
【図１４】図１１の低温ショーケースの機械室の斜視図である。
【図１５】図１１の低温ショーケースの機械室の平面図である。
【符号の説明】
１  低温ショーケース
３  陳列棚
５  断熱壁
６  仕切板
７  後壁板
８  陳列室
９  ダクト
１０  排気通路
１３  冷却器
１４  送風機
１９  機械室
２０  圧縮機
２１  凝縮器
２２  凝縮器用送風機
２５  折曲壁
３０  ユニットベース
３０Ａ  前部
３０Ｂ  後部
３３  蒸発皿
【図１】
2004150658.tif 000003
【図２】
2004150658.tif 000004
【図３】
2004150658.tif 000005
【図４】
2004150658.tif 000006
【図５】
2004150658.tif 000007
【図６】
2004150658.tif 000008
【図７】
2004150658.tif 000009
【図８】
2004150658.tif 000010
【図９】
2004150658.tif 000011
【図１０】
2004150658.tif 000012
【図１１】
2004150658.tif 000013
【図１２】
2004150658.tif 000014
【図１３】
2004150658.tif 000015
【図１４】
2004150658.tif 000016
【図１５】
2004150658.tif 000017